(57)【要約】【課題】  セキュリティ印刷物として意匠性に優れるとともに、反射光で観察される画像と透過光で観察される画像が変化して観察されることによって、偽造防止を図ることができる偽造防止媒体を提供する。【解決手段】  第１の領域に、基材と異なる色の非貫通孔又は印刷インキで成る第１の要素を形成して反射画像を形成し、規則的に複数配置された第２の領域に貫通孔で成る第２の要素と非貫通孔又は印刷インキで成る第３の要素を形成し、前記第２の要素により透過画像を形成し、前記第３の要素により前記透過画像を反射光で視認されないようにカモフラージュ要素として形成する。【選択図】  図１
2011104937.tif 000002
【特許請求の範囲】
【請求項１】
基材の少なくとも一部に画像領域を備え、前記画像領域に、二つの領域が複数配置されて二つの画像が形成されて成る偽造防止媒体であって、前記二つの領域のうち、一方の第１の領域は、前記基材と異なる色の非貫通孔又は印刷インキで成る第１の要素が配置されて反射画像を形成し、他方の第２の領域は、所定の一定の濃度を有し前記第１の領域と重ならないように規則的に複数配置され、前記基材と異なる色で、かつ、前記第１の要素と同じ色又は異なる色の第２の要素及び第３の要素が配置され、前記第２の要素は、貫通孔から成り透過画像が形成され、前記第３の要素は、前記第２の要素をカモフラージュするための非貫通孔又は印刷インキから成り、
反射光で観察した場合は、前記基材との濃度差によって前記反射画像が観察され、透過光で観察した場合は、前記貫通孔で構成された前記第２の要素から成る前記透過画像が観察されることを特徴とする偽造防止媒体。
【請求項２】
前記第２の要素と前記第３の要素は、略等色、かつ、同じ大きさであることを特徴とする請求項１記載の偽造防止媒体。
【請求項３】
前記第１の領域が、前記第２の領域より大きいことを特徴とする請求項１記載の偽造防止媒体。
【請求項４】
前記反射画像は、前記第１の要素が配置される部分と前記第１の要素が配置されない部分の境界で区分けされて成る情報画像部を備えることを特徴とする請求項１乃至３のいずれか１項に記載の偽造防止媒体。
【請求項５】
前記複数配置される第１の要素の面積率が一定又は部分的に異なることを特徴とする請求項１乃至４のいずれか１項に記載の偽造防止媒体。
【請求項６】
前記複数配置される第１の要素の面積率が部分的に異なることによって、前記反射画像が連続階調の画像で形成されることを特徴とする請求項１乃至３のいずれか１項に記載の偽造防止媒体。
【請求項７】
前記複数配置される第１の要素の面積率が部分的に異なる構成は、前記複数形成される第１の要素の大きさが部分的に異なる又は前記複数配置される第１の要素の粗密であることを特徴とする請求項５又は６記載の偽造防止媒体。
【請求項８】
前記透過画像を構成する前記第２の要素の面積率が一定であることを特徴とする請求項１乃至７のいずれか１項に記載の偽造防止媒体。
【請求項９】
前記透過画像が、前記規則的に配置された前記第２の領域において、前記第２の要素の粗密によって形成され、前記規則的に配置された前記第２の領域のうち、前記第２の要素が形成されない前記第２の領域に前記第３の要素が形成されることを特徴とする請求項１乃至７のいずれか１項に記載の偽造防止媒体。
【請求項１０】
前記透過画像が、前記画像領域全体に渡って前記第２の要素が形成されて成る連続階調の画像であることを特徴とする請求項１乃至９のいずれか１項に記載の偽造防止媒体。
【請求項１１】
前記第２の領域は、前記第１の領域より小さく、前記第２の領域を囲むように前記第１の領域が配置されることを特徴とする請求項１乃至１０のいずれか１項に記載の偽造防止媒体。
【請求項１２】
前記第１の領域は、複数の第１ａの領域から成り、
前記複数の第１ａの領域は、すべてが同じ大きさ又は一部が異なる大きさであり、少なくとも一つの前記第１ａの領域に前記第１の要素が形成されることを特徴とする請求項１１記載の偽造防止媒体。
【請求項１３】
前記第２の領域は、複数の第２ａの領域から成り、
前記複数の第２ａの領域は、すべてが同じ大きさ又は一部が異なる大きさであり、少なくとも一つの前記第２ａの領域に前記第２の要素が形成されて前記透過画像が形成され、前記複数の第２ａの領域のうち、前記第２の要素が形成されない部分に前記第３の要素が形成されることを特徴とする請求項１乃至１２のいずれか１項に記載の偽造防止媒体。
【請求項１４】
前記第１の要素、前記第２の要素及び前記第３の要素は、前記基材に対する濃度差が０．３以下であることを特徴とする請求項１乃至１３のいずれか１項に記載の偽造防止媒体。
【発明の詳細な説明】
【技術分野】
【０００１】
本発明は、偽造防止効果を必要とするセキュリティ印刷物である銀行券、パスポート、有価証券、身分証明書、カード、通行券等の貴重印刷物の分野において、反射光で観察できる画像が、透過光で観察した際には異なる画像に変化する偽造防止媒体に関わるものである。
【背景技術】
【０００２】
近年のスキャナ、プリンタ、カラーコピー機等のデジタル機器の進展により、貴重印刷物の精巧な複製物を容易に作製することが可能となっている。そのような複製や偽造を防止する偽造防止技術の一つとして、微細な穿孔で画像を形成する技術がある。
【０００３】
例えば、貴重印刷物の基材に、文字、模様、人物画像等を複数の穿孔で構成する穿孔画像を形成することは公知であり、例えば、スイス２００フラン券は、単一の穿孔径の穿孔によって文字または数字を穿孔配列によって表現している。
【０００４】
本出願人は過去にレーザー加工機を用いて面積の異なる数種類の微細穿孔を原画の階調に合わせて選択して形成することで、反射光で観察した場合に、顔写真や風景画のような階調豊かな画像が観察され、透過光で観察した場合には、反射光で観察される画像と濃淡が反転した画像が観察される偽造防止媒体を出願している（特許文献１参照）。
【０００５】
また、本出願人は過去に基材を貫通しない穿孔により形成した穿孔群と、基材を貫通する穿孔により形成した穿孔群を用い、基材を貫通しない穿孔群の個々の穿孔位置を基準にして、基材を貫通する穿孔群を基準の位置から特定方向及び特定距離に配置することで、透過光で観察した場合に、基材を傾けた方向に応じて異なる透過画像が出現する真偽判別形成体を出願している（特許文献２参照）。
【先行技術文献】
【特許文献】
【０００６】
【特許文献１】特許第３４３８０６６号公報
【特許文献２】特開第３８７３２１１号公報
【発明の概要】
【発明が解決しようとする課題】
【０００７】
しかしながら、特許文献１記載の偽造防止媒体は、反射光で観察される画像と透過光で観察される画像が濃淡反転して観察されるが、反射光で観察される画像と透過光で観察される画像自体が変化するものではなく、反射光で観察される画像を形成するように穿孔を施すだけで、偽造されてしまうという問題がある。
【０００８】
また、特許文献２記載の真偽判別形成体は、非貫通孔と貫通孔を組み合わせて透過光で特定の角度に傾けることによって画像が観察されるものであるが、セキュリティ印刷物に施される偽造防止要素として、透過光で観察される画像に加えて、更なる偽造防止を図る必要がある。また、特許文献２記載の偽造防止媒体において、穿孔を形成した領域は、反射光下で観察した際に何も観察されないため、貴重印刷物の一部に穿孔を形成した場合に意匠性に欠けるという問題がある。この問題に対して、基材に形成される穿孔群に加えて、単純にセキュリティ印刷部に形成されるような地紋、肖像、料額等の印刷画像を形成した場合、透過光で観察したときに、印刷画像も観察されるので、穿孔による透過画像の視認性に影響してしまう。
【０００９】
本発明は、前述した課題を解決することを目的とするものであり、穿孔を施した領域が反射光による観察でも視認されて、セキュリティ印刷物として意匠性に優れるとともに、反射光によって観察される画像と透過光によって観察される画像を異なる画像で形成し、透過光によって観察される画像は反射光によって観察するときに不可視であり、さらに、反射光によって観察される画像は透過光によって観察するときに不可視であり、反射光によって観察される画像と透過光によって観察される画像が変化して観察されることによって、偽造防止を図ることができる偽造防止媒体を提供することを目的とする。
【課題を解決するための手段】
【００１０】
本発明の偽造防止媒体は、基材の少なくとも一部に画像領域を備え、前記画像領域に、二つの領域が複数配置されて二つの画像が形成されて成る偽造防止媒体であって、前記二つの領域のうち、一方の第１の領域は、前記基材と異なる色の非貫通孔又は印刷インキで成る第１の要素が配置されて反射画像を形成し、他方の第２の領域は、所定の一定の濃度を有し前記第１の領域と重ならないように規則的に複数配置され、前記基材と異なる色で、かつ、前記第１の要素と同じ色又は異なる色の第２の要素及び第３の要素が配置され、前記第２の要素は、貫通孔から成り透過画像が形成され、前記第３の要素は、前記第２の要素をカモフラージュするための非貫通孔又は印刷インキから成り、反射光で観察した場合は、前記基材との濃度差によって前記反射画像が観察され、透過光で観察した場合は、前記貫通孔で構成された前記第２の要素から成る前記透過画像が観察されることを特徴とする。
【００１１】
また、本発明の偽造防止媒体の第２の要素と第３の要素は、略等色、かつ、同じ大きさであることを特徴とする。
【００１２】
また、本発明の偽造防止媒体は、第１の領域が、第２の領域より大きいことを特徴とする。
【００１３】
また、本発明の偽造防止媒体の反射画像は、第１の要素が配置される部分と第１の要素が配置されない部分の境界で区分けされて成る情報画像部を備えることを特徴とする。
【００１４】
また、本発明の偽造防止媒体は、複数配置される第１の要素の面積率が一定又は部分的に異なることを特徴とする。
【００１５】
また、本発明の偽造防止媒体は、複数配置される第１の要素の面積率が部分的に異なることによって、反射画像が連続階調の画像で形成されることを特徴とする。
【００１６】
また、本発明の偽造防止媒体は、複数配置される第１の要素の面積率が部分的に異なる構成は、複数形成される第１の要素の大きさが部分的に異なる又は複数配置される第１の要素の粗密であることを特徴とする。
【００１７】
また、本発明の偽造防止媒体は、透過画像を構成する第２の要素の面積率が一定であることを特徴とする。
【００１８】
また、本発明の偽造防止媒体は、透過画像が、規則的に配置された第２の領域において、第２の要素の粗密によって形成され、規則的に配置された第２の領域のうち、第２の要素が形成されない第２の領域に第３の要素が形成されることを特徴とする。
【００１９】
また、本発明の偽造防止媒体の透過画像が、画像領域全体に渡って第２の要素が形成されて成る連続階調の画像であることを特徴とする。
【００２０】
また、本発明の偽造防止媒体は、第２の領域は、第１の領域より小さく、第２の領域を囲むように第１の領域が配置されることを特徴とする。
【００２１】
また、本発明の偽造防止媒体は、第１の領域は、複数の第１ａの領域から成り、複数の第１ａの領域は、すべてが同じ大きさ又は一部が異なる大きさであり、少なくとも一つの第１ａの領域に第１の要素が形成されることを特徴とする。
【００２２】
また、本発明の偽造防止媒体は、第２の領域は、複数の第２ａの領域から成り、複数の第２ａの領域は、すべてが同じ大きさ又は一部が異なる大きさであり、少なくとも一つの第２ａの領域に第２の要素が形成されて透過画像が形成され、複数の第２ａの領域のうち、第２の要素が形成されない部分に第３の要素が形成されることを特徴とする。
【００２３】
また、本発明の偽造防止媒体は、第１の要素、第２の要素及び第３の要素は、基材に対する濃度差が０．３以下であることを特徴とする。
【発明の効果】
【００２４】
本発明の偽造防止媒体は、反射光によって観察される画像と透過光によって観察される画像が変化することによって貴重印刷物の偽造防止を図ることができる。
【００２５】
また、本発明は、反射光による観察においても、穿孔を形成した領域の画像を視認することができ、貴重印刷物の意匠性を向上させることができる。
【図面の簡単な説明】
【００２６】
【図１】本発明における偽造防止媒体を示す図である。
【図２】第１の要素が文字を構成して成る反射画像を示す図である。
【図３】白抜きの文字で形成される反射画像を示す図である。
【図４】反射画像が、同じ大きさの第１の要素が規則的に複数配置されて成る構成を示す図である。
【図５】反射画像が、複数配置される第１の要素の粗密によって成る構成を示す図である。
【図６】反射画像が、複数配置される第１の要素の大きさを部分的に異ならせて成る構成を示す図である。
【図７】画像領域全体を連続階調の画像で構成した反射画像を示す図である。
【図８】第２の領域に形成される第２の要素と第３の要素及び第２の要素から成る透過画像を示す図である。
【図９】一定の面積率で形成される透過画像の構成を示す図である。
【図１０】複数の階調を有する透過画像の構成を示す図である。
【図１１】連続階調の画像で成る透過画像の構成を示す図である。
【図１２】偽造防止媒体を反射光で観察した際に視認される画像を示す図である。
【図１３】偽造防止媒体を透過光で観察した際に視認される画像を示す図である。
【図１４】第１の領域と第２の領域の配置を示す図である。
【図１５】反射画像と透過画像が階調画像で成る場合の、第１の領域及び第２の領域の構成と該領域に配置される第１の要素、第２の要素及び第３の要素を示す図である。
【図１６】第１ａの領域の大きさが異なって成る第１の領域と、第２ａの領域の大きさが異なって成る第２の領域を示す図である。
【図１７】実施例１の偽造防止媒体を示す図である。
【図１８】実施例１の反射画像を示す図である。
【図１９】実施例１の透過画像を示す図である。
【図２０】実施例１の偽造防止媒体を反射光で観察した際に視認される画像を示す図である。
【図２１】実施例１の偽造防止媒体を透過光で観察した際に視認される画像を示す図である。
【図２２】実施例２の偽造防止媒体を示す図である。
【図２３】実施例２の反射画像を示す図である。
【図２４】実施例２の透過画像を示す図である。
【図２５】実施例２の偽造防止媒体を反射光で観察した際に視認される画像を示す図である。
【図２６】実施例２の偽造防止媒体を透過光で観察した際に視認される画像を示す図である。
【図２７】実施例３の偽造防止媒体を示す図である。
【図２８】実施例３の反射画像の構成を示す図である。
【図２９】実施例３の透過画像の構成を示す図である。
【図３０】実施例３の偽造防止媒体を反射光で観察した際に視認される画像を示す図である。
【図３１】実施例３の偽造防止媒体を透過光で観察した際に視認される画像を示す図である。
【発明を実施するための形態】
【００２７】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００２８】
本発明の偽造防止媒体（１）は、図１（ａ）に示すように、基材（２）の少なくとも一部に画像領域（４）を備え、画像領域（４）には、基材（２）と異なる色の第１の領域（３Ａ）と第２の領域（７Ａ）が複数配置される。そして、第１の領域（３Ａ）に第１の要素（３ａ）が形成されて、図１（ｂ）に示す反射画像（３）が形成される。また、第２の領域（７Ａ）に、第２の要素（８ａ）と第３の要素（９ａ）が形成され、第２の領域（７Ａ）に形成される第２の要素（８ａ）によって、図１（ｃ）に示す透過画像（７）が形成される。以下に、第１の領域（３Ａ）及び第２の領域（７Ａ）の構成と、それぞれの領域から成る反射画像（３）及び透過画像（７）の詳細な構成について説明する。はじめに、第１の領域（３Ａ）から成る反射画像（３）の構成について説明する。
【００２９】
本発明において、反射画像（３）は、画像領域（４）に第１の領域（３Ａ）が配置される部分、すなわち、第１の要素（３ａ）が形成される部分と、画像領域（４）に第１の領域（３Ａ）が配置されない部分、すなわち、第１の要素（３ａ）が形成されない部分の境界で区分けされて成る情報画像部（５）を備える構成又は画像領域（４）に複数配置される第１の要素（３ａ）の面積率が部分的に異なって連続階調の画像の構成で成る。はじめに、情報画像部（５）を備える構成の反射画像（３）について説明する。なお、反射画像（３）がアルファベットの「Ａ」の文字の情報画像部（５）を備える構成で説明する。
【００３０】
図２は、画像領域（４）に、第１の要素（３ａ）が形成される部分と第１の要素（３ａ）が形成されない部分の境界で区分けされて成る情報画像部（５）を備える反射画像（３）を示す図である。本発明において、「反射画像（３）」とは、画像領域（４）を反射光で観察したときに視認される画像のことであり、第１の要素（３ａ）が形成される部分だけでなく、図２に示すように画像領域（４）を含んで観察される画像のことである。
【００３１】
この場合、図２の拡大図に示すように、第１の領域（３Ａ）が反射画像（３）を構成するように複数配置され、第１の領域（３Ａ）に、基材（２）と異なる色の第１の要素（３ａ）が形成されて反射画像（３）が形成されて成る。そして、反射画像（３）は、第１の要素（３ａ）が形成される部分と第１の要素（３ａ）が形成されない部分の境界によって区分けされるアルファベットの「Ａ」の文字の情報画像部（５）を備える。
【００３２】
本発明において、第１の要素（３ａ）は、レーザー加工による非貫通孔又は印刷によるインキで構成され、第１の要素（３ａ）の形状は、特に限定されるものではなく、所定の形状を有する文字、数字、記号、図形、マーク等で構成される。なお、図２の拡大図では、第１の要素（３ａ）が円形状で構成された状態を示している。
【００３３】
一方、図３に示す構成においても、アルファベットの「Ａ」の文字の情報画像部（５）を備える反射画像（３）を形成することができる。図３に示す反射画像（３）は、図３の拡大図に示すように、アルファベットの「Ａ」の文字が白抜きとなるように第１の領域（３Ａ）を配置し、第１の領域（３Ａ）に第１の要素（３ａ）が形成されて成る。そして、反射画像（３）は、第１の要素（３ａ）が形成される部分と第１の要素（３ａ）が形成されない部分の境界によって区分けされるアルファベットの「Ａ」の文字の情報画像部（５）を備える。
【００３４】
このように、本発明において、情報画像部（５）を備える構成の反射画像（３）は、図２及び図３の示す構成のいずれで形成してもよい。ただし、図３に示す反射画像（３）を構成する第１の領域（３Ａ）の配置は、図２に示す反射画像（３）を構成する第１の領域（３Ａ）の配置とネガポジの関係にあるため、偽造防止媒体（１）を反射光で観察した場合、図２に示す反射画像（３）と図３に示す反射画像（３）も、ネガポジの関係で観察される。また、本発明において、反射画像（３）は、アルファベットの「Ａ」の文字に限定されず、数字、記号、人物画、風景等でもよい。その場合、反射画像（３）の図柄や模様に応じて第１の領域（３Ａ）を配置し、第１の要素（３ａ）を形成すればよい。
【００３５】
また、情報画像部（５）を備える構成の反射画像（３）において、反射画像（３）は、複数配置される第１の要素（３ａ）の面積率を一定にして形成してもよいし、複数配置される第１の要素（３ａ）の面積率を部分的に異ならせて形成してもよく、以下に、それぞれの構成について説明する。なお、本発明において、「第１の要素（３ａ）の面積率」とは、画像領域（４）において、所定の範囲に形成される第１の要素（３ａ）の面積の割合を％で表したものである。なお、後述する第２の要素（８ａ）においても同様に、「第２の要素（８ａ）の面積率」とは、画像領域（４）において、所定の範囲に形成される第２の要素（８ａ）の面積の割合を％で表したものである。
【００３６】
図４は、図２に示す反射画像（３）が、複数配置される第１の要素（３ａ）の面積率を一定にして形成される構成を示す図である。このとき、アルファベットの「Ａ」の文字は、複数の第１の要素（３ａ）が同じ大きさで規則的に配置されて成る。このような、反射画像（３）を反射光で観察すると、アルファベットの「Ａ」の文字からの反射光は、どの箇所も一定であるので、アルファベットの「Ａ」の文字の部分は、一定の濃度で観察される。
【００３７】
続いて、反射画像（３）が、複数配置される第１の要素（３ａ）の面積率を部分的に異ならせて成る構成について説明する。なお、複数配置される第１の要素（３ａ）の面積率が異なって成る反射画像（３）の構成は、２通りあり、順に説明する。
【００３８】
複数配置される第１の要素（３ａ）の面積率が部分的に異なって成る反射画像（３）の一つ目の構成は、複数配置される第１の要素（３ａ）が同じ大きさで形成され、複数配置される第１の要素（３ａ）の粗密によって形成される構成である。この構成で成る反射画像（３）を図５に示す。図５は、図２に示す反射画像（３）が、複数配置される第１の要素（３ａ）の粗密によって形成された反射画像（３）を示す図である。図５（ｂ）は、反射画像（３）の一部を拡大したものであり、所定の範囲内に形成される第１の要素（３ａ）の数が多い、すなわち、「密」の部分の構成を示している。また、図５（ｃ）は、反射画像（３）の一部を拡大したものであり、所定の範囲内に形成される第１の要素（３ａ）の数が少ない、すなわち、「粗」の部分の構成を示している。所定の範囲内に形成される第１の要素（３ａ）の数が多いほど、すなわち「密」の状態であるほど、濃い色彩で認識され、所定の範囲内に形成される第１の要素（３ａ）の数が少ないほど、すなわち「粗」の状態であるほど、薄い色彩で認識されるので、図５に示す構成で成る偽造防止媒体（１）を反射光で観察すると、複数の階調で成る情報画像部（５）を含んだ、反射画像（３）が観察される。図５に示す情報画像部（５）は、アルファベットの「Ａ」の文字で形成された例であるが、このように、複数配置される第１の要素（３ａ）を同じ大きさで形成し、反射画像（３）に応じて部分的に粗密が生じるように第１の要素（３ａ）を配置することによって、人物画や風景のような複数の階調から成る情報画像部（５）を含んだ反射画像（３）を形成することができる。
【００３９】
続いて、複数配置される第１の要素（３ａ）の面積率を部分的に異ならせる二つ目の構成について説明する。
【００４０】
複数配置される第１の要素（３ａ）の面積率が部分的に異なって成る反射画像（３）の二つ目の構成は、複数配置される第１の要素（３ａ）の大きさを部分的に異ならせて形成される構成である。この構成で成る反射画像（３）を図６に示す。図６は、図２に示す反射画像（３）が、複数形成される第１の要素（３ａ）の大きさを部分的に異ならせて形成された反射画像（３）を示す図である。図６に示す反射画像（３）の一部拡大図において、第１の要素（３ａ）の大きさが大きいほど、反射光によって観察するときに濃い色彩で認識され、第１の要素（３ａ）の大きさが小さいほど薄い色の色彩で認識されるので、図６に示す構成で成る偽造防止媒体（１）を反射光で観察したときもまた、複数の階調で成る情報画像部（５）を含んだ、反射画像（３）が観察される。図６に示す情報画像部（５）は、アルファベットの「Ａ」の文字で形成された例であるが、このように、反射画像（３）に応じて複数配置される第１の要素（３ａ）の大きさを異ならせることによって、人物画や風景のような複数の階調から成る情報画像部（５）を含んだ反射画像（３）を形成することができる。以上、情報画像部（５）が複数の階調で成る構成について説明したが、複数の階調で成る情報画像部（５）は、図５に示す構成と図６に示す構成を組み合わせた構成としてもよい。
【００４１】
以上説明した、図５に示す反射画像（３）は、複数配置される第１の要素（３ａ）を同じ大きさで形成しており、また、図６に示す反射画像（３）は、複数配置される第１の要素（３ａ）の大きさを異ならせて形成しており、それぞれで第１の要素（３ａ）の構成は異なるが、いずれも、複数配置される第１の要素（３ａ）の面積率を部分的に異ならせる構成である。このように、複数配置される第１の要素（３ａ）の面積率を部分的に異ならせることによって、画像領域（４）に連続階調の画像を形成することができるので、続いて、連続階調の画像で成る反射画像（３）について説明する。
【００４２】
図７は、画像領域（４）に複数配置される第１の要素（３ａ）の面積率が部分的に異なって連続階調の画像で成る反射画像（３）を示している。このとき、第１の要素（３ａ）が画像領域（４）の全体にわたって複数配置され、複数配置される第１の要素（３ａ）の面積率が部分的に異なる。なお、複数配置される第１の要素（３ａ）の面積率が部分的に異ならせる構成は、前述したとおりであり、図７は、第１の要素（３ａ）の大きさを部分的に異ならせる構成を示している。このように、画像領域（４）の全体にわたって、複数配置される第１の要素（３ａ）の面積率を部分的に異ならせた偽造防止媒体（１）を反射光で観察した場合、図７に示す画像領域（４）全体に形成された連続階調の反射画像（３）が観察される。なお、連続階調の画像を形成する場合においても、反射画像（３）は、図５に示す構成と図６に示す構成を組み合わせた構成としてもよい。
【００４３】
以上説明した構成で成る反射画像（３）において、第１の要素（３ａ）の大きさは、後述する第２の領域（７Ａ）と重ならないように配置すれば、特に限定されるものではないが、第１の要素（３ａ）の加工精度を考慮すると２０μｍより大きくして形成するのが好ましい。また、第１の要素（３ａ）は、後述する第２の要素（８ａ）及び第３の要素（９ａ）よりも大きく形成するのが好ましい。これは、本発明の偽造防止媒体（１）を反射光によって観察すると、第１の要素（３ａ）から成る反射画像（３）の図柄が観察されるが、第１の要素（３ａ）を第２の要素（８ａ）及び第３の要素（９ａ）より大きく形成した方が反射画像（３）の視認性がよいからである。第１の要素（３ａ）を第２の要素（８ａ）及び第３の要素（９ａ）より小さくしてもよいが、反射画像（３）の視認性が低下してしまう。
【００４４】
さらに、反射画像（３）は、基材（２）との濃度差が大きくならないように形成するのが好ましい。これは、偽造防止媒体（１）を透過光で観察した場合、反射画像（３）を形成した部分と基材（２）との濃度差が大きすぎると、反射画像（３）が完全に消失せず、反射画像（３）と透過画像（７）が混ざり合って視認されてしまい、結果的に透過光によって観察される画像の視認性が低下するためである。本発明において、透過光による観察で反射画像（３）を目視上消失させる原理は、偽造防止媒体（１）を透過光で観察するために照明にかざした場合に、偽造防止媒体（１）の画像領域（４）が存在する一方の表面が、照明の影になることで暗く沈んで見える現象を利用している。すなわち、画像領域（４）が基材（２）の影となって画像領域（４）を照らす光が少なくなるので、基材（２）との濃度差を小さく形成された反射画像（３）は、目視では区別ができず、反射画像（３）が消失したように観察されるというものである。したがって、反射画像（３）と基材の濃度差は、直接入射する光では視認でき、光が直接入射せず拡散反射光のみによって照らされる場合には視認できないか、もしくは視認しづらい範囲に制限する必要がある。日光が入射せず、一つか数個の落射型照明を用いて照らされた通路や階段において、偽造防止媒体（１）を照明にかざして観察したときに、反射画像（３）が目視で消失したように観察される基材（２）と反射画像（３）の濃度差は０．３以下（グレタグ濃度計  グレタグマクベス社製）である。また、多数の照明に照らされた標準的なオフィスに準じる環境下において、偽造防止媒体（１）を照明にかざして観察したときに、反射画像（３）が目視で消失したように観察される基材（２）と反射画像（３）の濃度差は０．２以下である。以上のことから、本発明の偽造防止媒体（１）の基材（２）と反射画像（３）は、グレタグ濃度計（グレタグマクベス社製）を用いて測定した濃度差が０．３以下に収まる範囲で形成する必要がある。ただし、これは偽造防止媒体（１）の観察を行う環境の明るさに大きく影響されるため、偽造防止媒体（１）を、ユーザーが使用すると、想定させる環境に応じて、反射画像（３）を形成した部分と基材（２）との濃度差を調整して偽造防止媒体（１）を作製すればよい。
【００４５】
（第１の要素  形成方法  レーザー）
第１の要素（３ａ）の形成方法としては、レーザー加工機を用いて、基材（２）にレーザーを照射して、基材（２）の一部を除去するとともに、レーザーが照射された部分に焦げを生じさせ、これによって基材（２）と異なる色とすることで形成することができる。この場合、第１の要素（３ａ）は、非貫通孔の状態で形成されることとなる。なお、本発明において「非貫通孔」とは、基材（２）の一部が除去されるが、裏側までは達しない穿孔のことである。
【００４６】
レーザー加工機を用いて第１の要素（３ａ）を形成する場合、反射画像（３）を加工するための加工データをあらかじめ作成しておき、あらかじめ作成された加工データを基にレーザー加工機を用いて反射画像（３）を形成すればよい。このときに用いるレーザー加工機は、基材（２）の材質に応じて選択すればよく、例えば、基材（２）が紙材である場合は、炭酸ガスレーザー加工機を用い、基材（２）が金属材料である場合は、ＹＡＧレーザー加工機を用いるのがよい。また、非貫通孔を形成するためのレーザーの出力及びレーザーの照射時間については、用いる基材（２）の材料に応じて適宜設定すればよい。
【００４７】
また、第１の要素（３ａ）は、印刷によって形成することもできる。第１の要素（３ａ）を印刷によって形成する方法としては、オフセット印刷、グラビア印刷、インクジェット印刷等の公知の印刷方法を用いることができる。なお、印刷によって第１の要素（３ａ）が形成される場合は、第１の要素（３ａ）は、基材（２）と異なる色のインキから成る。以上、説明したように第１の要素（３ａ）は、レーザー加工又は印刷によって形成することができるが、以降の説明では、第１の要素（３ａ）がレーザー加工によって形成される非貫通孔の構成で説明する。
【００４８】
次に、第２の領域（７Ａ）の構成と、透過画像（７）の構成について説明する。
【００４９】
図８は、第２の領域（７Ａ）の配置と、第２の領域（７Ａ）に形成される第２の要素（８ａ）によって形成される透過画像（７）を示す図である。なお、透過画像（７）がアルファベットの「Ｂ」の文字で成る構成で説明する。
【００５０】
第２の領域（７Ａ）は、図８の拡大図に示すように画像領域（４）に、規則的に複数配置される。そして、図８の拡大図に示すように、規則的に複数配置された第２の領域（７Ａ）のうち、アルファベットの「Ｂ」の文字を構成する部分の第２の領域（７Ａ）に、基材（２）と異なる色の第２の要素（８ａ）が形成されて透過画像（７）が形成される。本発明において、第２の要素（８ａ）は、貫通孔で構成される。
【００５１】
本発明において、「貫通孔」とは、基材（２）の表側から裏側まで達した穿孔のことであり、貫通孔の側面及び表面は基材（２）と異なる色で形成される。貫通孔すなわち第２の要素（８ａ）の形状は、特に限定されるものではなく、所定の形状を有する文字、数字、記号、図形、マーク等で構成される。なお、図８の拡大図では、第２の要素（８ａ）が円形状で構成された状態を示している。
【００５２】
このように、貫通孔の第２の要素（８ａ）が形成されることによって、本発明の偽造防止媒体（１）を透過光で観察すると、第２の要素（８ａ）を形成した部分で光が透過して、透過画像（７）を観察することができる。しかし、第２の要素（８ａ）は、基材（２）と異なる色で形成されるため、仮に、第１の要素（３ａ）と第２の要素（８ａ）が形成された基材（２）を反射光で観察すると、透過画像（７）である、アルファベットの「Ｂ」の文字が基材（２）と異なる色で、観察されてしまい（詳細には、反射画像（３）と透過画像（７）が観察される）、本発明の目的とする、反射光によって観察される画像と透過光によって観察される画像が変化するという効果が得られない。
【００５３】
そこで、本発明の偽造防止媒体（１）は、透過画像（７）である、アルファベットの「Ｂ」の文字をカモフラージュするために、規則的に複数配置される第２の領域（７Ａ）を所定の一定の濃度で形成している。なお、ここでいう、「一定の濃度」とは、人間の目によって反射光で観察した時に、規則的に複数配置される第２の領域（７Ａ）のいずれの部分も同じ濃度で視認されるという意味である。具体的には、規則的に複数配置される第２の領域（７Ａ）のうち、第２の要素（８ａ）が形成されない第２の領域（７Ａ）に、基材（２）と異なる色で、第２の要素（８ａ）と略等色であり、かつ、第２の要素（８ａ）と同じ大きさの第３の要素（９ａ）を形成している。なお、第３の要素（９ａ）は、レーザー加工による非貫通孔又は印刷によるインキで構成される。このように、第２の要素（８ａ）が形成されない第２の領域（７Ａ）に第３の要素（９ａ）を形成し、規則的に複数配置された第２の領域（７Ａ）を反射光で観察すると、画像領域（４）に配置された第２の領域（７Ａ）からの反射光は、どの箇所も一定であるので、一定の濃度のベタ画像として観察され、第２の領域（７Ａ）に形成された透過画像（７）をカモフラージュすることができる。
【００５４】
なお、本発明において、「略等色」とは、色差ΔＥが６以下である色彩の範囲である。また、本発明において、透過画像（７）は、アルファベットの「Ｂ」の文字に限定されず、数字、記号、人物画、風景等でもよい。その場合、規則的に複数配置された第２の領域（７Ａ）に、透過画像（３）の図柄や模様に応じて、第２の要素（８ａ）を形成し、残りの第２の領域（７Ａ）に第３の要素（９ａ）を形成すればよい。
【００５５】
また、規則的に複数配置される第２の領域（７Ａ）を、所定の一定の濃度で形成するための構成は、前述した構成だけでなく、第２の要素（８ａ）が形成されない第２の領域（７Ａ）に形成される第３の要素（９ａ）を、基材（２）と異なる色で、第２の要素（８ａ）と異なる濃度であり（色彩は同じ）、かつ、第２の要素（８ａ）と異なる大きさで形成する構成である。第２の要素（８ａ）及び第３の要素（９ａ）の大きさについては、後述するが、この構成で第２の要素（８ａ）から成る透過画像（７）をカモフラージュできる理由は以下のとおりである。網点印刷の観察原理のように、網点の面積率が高い部分は濃い色で観察され、網点の面積率が低い部分は薄い色で観察される。この原理を応用して、第３の要素（９ａ）の濃度を、第２の要素（８ａ）より薄く形成した場合でも、第３の要素（９ａ）の面積率を高くする、すなわち、第３の要素（９ａ）を第２の要素（８ａ）より大きく形成することによって、見た目上、同じように観察されるからである。同様に、第３の要素（９ａ）の濃度を、第２の要素（８ａ）より濃く形成した場合でも、第３の要素（９ａ）の面積率を低くする、すなわち、第３の要素（９ａ）を第２の要素（８ａ）より小さく形成することによって、見た目上、同じように観察される。この構成によって第３の要素（９ａ）を形成する場合、第２の要素（８ａ）の濃度及び大きさに応じて、見た目上の濃度が同じになるように、第３の要素（９ａ）の濃度及び大きさを適宜調整すればよい。なお、以降の説明では、第３の要素（９ａ）が、第２の要素（８ａ）と略等色であり、かつ、第２の要素（８ａ）と同じ大きさで形成される構成とする。
【００５６】
また、第２の要素（８ａ）と第３の要素（９ａ）は、図８の拡大図に示すように、第１の要素（３ａ）と重ならないように形成される。これは、第２の要素（３ａ）と第３の要素（９ａ）を、第１の要素（3ａ）と重ねて形成すると、重ねて形成された部分の反射光で観察ときの濃度が上がってしまい、本来観察されるはずの反射画像（３）の視認性に影響するからである。なお、図８は、透過画像（７）の構成を示す図であり、実際には、透過画像（７）は第１の要素（３ａ）が形成しているものではないが、第１の要素（３ａ）、第２の要素（８ａ）及び第３の要素（９ａ）の配置について説明するため、図８の拡大図では、第１の要素（３ａ）を破線で図示している。
【００５７】
また、第２の要素（８ａ）の大きさは、０．３ｍｍ以下で形成される。これは、第２の要素（８ａ）の大きさが０．３ｍｍより大きい場合、反射光によって観察したときに、貫通孔を通して基材（２）の裏側が観察され、これによって、反射光による観察でも透過画像（７）が観察されてしまうからである。なお、第３の要素（９ａ）は、前述したように第２の要素（８ａ）と同じ大きさで形成されるので、０．３ｍｍ以下で第２の要素（８ａ）と同じ大きさで形成される。また、前述したように、第２の要素（８ａ）及び第３の要素（９ａ）は、第１の要素（３ａ）より小さく形成されるのが好ましい。
【００５８】
また、透過画像（７）は、複数配置される第２の要素（８ａ）の面積率を一定にして形成してもよいし、複数配置される第２の要素（８ａ）の面積率を部分的に異ならせて形成してもよく、以下に、それぞれの構成について説明する。
【００５９】
図９は、図８に示す透過画像（７）が、複数配置される第２の要素（８ａ）の面積率を一定にして形成される構成を示す図である。このとき、アルファベットの「Ｂ」の文字は、第２の要素（８ａ）が一定の面積率で形成される。なお、図９の拡大図では、アルファベットの「Ｂ」の文字に配置される第２の領域（７Ａ）のすべての箇所に、第２の要素（８ａ）が形成された状態を示しているが、一定の面積率の第２の要素（８ａ）によって透過画像（７）を形成する構成は、これに限定されるものでなく、アルファベットの「Ｂ」の文字において、第２の要素の第３の要素を交互に配列させる構成であってもよい。この場合においも、透過光で観察したときにアルファベットの「Ｂ」の文字が観察されるが、図９に示す透過画像（７）に対して、貫通孔で成る第２の要素（８ａ）の面積率が小さいため、透過する光が少なくなり、暗い透過画像（７）が観察される。
【００６０】
続いて、透過画像（７）が、複数配置される第２の要素（８ａ）の面積率を部分的に異ならせて形成される構成について説明する。
【００６１】
透過画像（７）が、複数配置される第２の要素（８ａ）の面積率を部分的に異ならせて形成される構成は、反射画像（３）を第１の要素（３ａ）の粗密によって形成する構成と同様であり、透過画像（７）を第２の要素（８ａ）の粗密によって形成する構成である。この構成で成る透過画像（７）を図１０に示す。図１０は、図８に示す透過画像（７）が、第２の要素（８ａ）の粗密によって形成された透過画像（７）を示す図である。図１０（ｂ）は、透過画像（７）の一部を拡大したものであり、所定の範囲内に形成される第２の要素（８ａ）の数が多い、すなわち、「密」の部分の構成を示している。なお、第３の要素（９ａ）は、透過画像（７）を構成するものではないが、前述したように、第２の要素（８ａ）が形成されない第２の領域（７Ａ）には、第３の要素（９ａ）が形成され、図１０（ｂ）に示すように、第２の要素（８ａ）が「密」の状態の部分は、第３の要素（９ａ）は「粗」の状態で形成される。また、図１０（ｃ）は、透過画像（７）の一部を拡大したものであり、所定の範囲内に形成される第２の要素（８ａ）の数が少ない、すなわち、「粗」の部分の構成を示しており、このとき第３の要素（９ａ）は「密」の状態で形成される。
【００６２】
以上の構成で成る透過画像（７）は、所定の範囲内に形成される第２の要素（８ａ）の数が多いほど、すなわち「密」の状態であるほど、透過光で観察したときの光が多くなるので明るく観察され、所定の範囲内に形成される第２の要素（８ａ）の数が少ないほど、すなわち「粗」の状態であるほど、透過光で観察したときの光が少なくなるので暗く観察され、図１０に示す透過画像（７）を、透過光で観察すると、複数の階調を有する透過画像（７）が観察される。
【００６３】
さらに、透過画像（７）は、図１１に示すように、画像領域（４）の全体にわたって規則的に複数配置される第２の領域（７Ａ）において、第２の要素（８ａ）の面積率を部分的に異ならせて形成してもよい。透過画像（７）において、明るく観察される部分には、図１１（ｂ）に示すように、第２の要素（８ａ）を多く形成し、透過画像（７）において、暗く観察される部分には、図１１（ｃ）に示すように、第２の要素（８ａ）を少なく形成することで、連続階調の透過画像（７）を形成することができる。このように、画像領域（４）の全体にわたって、第２の要素（８ａ）の面積率を部分的に異ならせた偽造防止媒体（１）を透過光で観察した場合、画像領域（４）全体に形成された連続階調の透過画像（７）が観察される。
【００６４】
以上説明した構成で成る透過画像（７）において、第２の要素（８ａ）と第３の要素（９ａ）の色は、第２の要素（８ａ）と第３の要素（９ａ）が略等色であれば、第１の要素（３ａ）と同じ色でもよいし、異なる色でもよい。
【００６５】
（第２、３の要素  形成方法）
第２の要素（８ａ）の形成方法としては、レーザー加工機を用いて、基材（２）にレーザーを照射して、基材（２）を除去するとともに、貫通孔の側面と表面に焦げを生じさせ、これによって基材（２）と異なる色とすることで形成することができる。この場合、透過画像（７）のうち、第２の要素（８ａ）で構成される部分を加工するための加工データをあらかじめ作成しておき、あらかじめ作成された加工データを基にレーザー加工機を用いて第２の要素（８ａ）を形成すればよい。このときに用いるレーザー加工機の種類については、非貫通孔を形成する場合と同様に、基材（２）の材質に応じて選択すればよい。また、貫通孔を形成するためのレーザーの出力及びレーザーの照射時間についても、用いる基材（２）の材料に応じて適宜設定すればよい。なお、第３の要素（９ａ）の形成方法については、第１の要素（３ａ）と同様にしてレーザー加工又は印刷によって形成することができ、印刷によって第３の要素（９ａ）を形成する場合、第２の要素（８ａ）の色と略等色のインキ又は複数のインキを混ぜて調整したインキを用いて形成することができる。なお、以降の説明では、第３の要素（９ａ）がレーザー加工によって形成される非貫通孔の構成で説明する。
【００６６】
続いて、本発明の偽造防止媒体（１）を観察したときに視認される画像について説明する。はじめに、基材（２）に、図４に示す構成で成る反射画像（３）と図８に示す透過画像（７）が形成される偽造防止媒体（１）について説明する。なお、反射画像（３）が規則的に複数の第１の要素（３ａ）が形成されて成る構成であり、透過画像（７）が第２の要素（８ａ）のみで形成される構成で説明する。
【００６７】
（観察画像  反射光）
本発明の偽造防止媒体（１）を反射光によって観察した場合、図１２に示すように、反射画像（３）である「Ａ」の文字、すなわち情報画像部（５）が観察され、透過画像（７）である「Ｂ」の文字は観察されない。このとき、反射画像（３）は、第１の要素（３ａ）が規則的に配置されているので、観察される「Ａ」の文字は、一定の濃度で観察される。なお、反射光で観察される画像は、詳細には、第１の領域（３Ａ）に形成された第１の要素（３ａ）で構成される反射画像（３）と第２の領域（７Ａ）に形成された第２の要素（８ａ）と第３の要素（９ａ）による画像である。ただし、第２の領域（７Ａ）は、前述したように、規則的に配置され、第２の領域（７Ａ）に形成される第２の要素（８ａ）と第３の要素（９ａ）は、略同じ色、かつ、同じ大きさで形成されるため、第２の領域（７Ａ）は、所定の濃度を有するベタ画像のように観察される。そして、反射光による観察の場合、第２の要素（８ａ）と第３の要素（９ａ）によって形成されたベタ画像の中に、第１の要素（３ａ）によって形成された反射画像（３）が形成された状態となり、反射画像（３）が形成された部分が、周囲に対して濃度が異なるため、結果的に図１２に示す反射画像（３）である「Ａ」の文字のみ観察される。仮に、第１の要素（３ａ）に対して、第２の要素（８ａ）と第３の要素（９ａ）の色が同じ場合、画像領域（４）の全体で濃度が上がったように観察されるが、第１の要素（３ａ）が形成された部分と、第１の要素（３ａ）が形成されない部分の濃度差は維持され、反射画像（３）が形成された部分の濃度が周囲に対して高いため、反射画像（３）である「Ａ」の文字を観察することができる。
【００６８】
また、第１の要素（３ａ）に対して、第２の要素（８ａ）と第３の要素（９ａ）の色が異なる場合、第１の要素（３ａ）と異なる色の第２の要素（８ａ）と第３の要素（９ａ）によって形成されたベタ画像の中に、第１の要素（３ａ）によって形成された反射画像（３）が形成された状態となり、反射画像（３）が形成された部分の色彩が、周囲に対して異なるため、反射画像（３）である「Ａ」の文字を観察することができる。
【００６９】
（観察画像  透過光）
また、本発明の偽造防止媒体（１）を透過光によって観察した場合、非貫通孔で形成された第１の要素（３ａ）と第３の要素（９ａ）は、基材（２）の影となって明度が低下し、視認されなくなる。それに対して、貫通孔で形成された第２の要素（８ａ）が形成された部分では、光が透過して明るく観察され、結果的に、図１３に示す透過画像（７）である、「Ｂ」の文字が観察される。
【００７０】
なお、反射画像（３）を、図３に示す構成とした場合、「Ａ」の文字が白抜きとなった反射画像（３）が、第１の要素（３ａ）の色で観察される（図示せず）。また、図５に示すように、情報画像部（５）を複数の階調を備える構成とした場合には、複数の階調を有する反射画像（３）が観察され（図示せず）、図７に示すように画像領域（４）全体を連続階調の画像で構成した場合には、画像領域（４）全体が連続階調の反射画像（３）が観察される（図示せず）。
【００７１】
また、透過画像（７）を、図１０に示す構成で形成した場合、複数の階調を有する透過画像（７）が観察される（図示せず）。また、図１１に示す構成で透過画像（７）を形成した場合、連続階調の透過画像（７）が観察される（図示せず）。
【００７２】
このように、本発明の偽造防止媒体（１）は、反射光によって観察される画像と透過光によって観察される画像は、異なった画像が視認できるという効果を有する。
【００７３】
なお、本発明の偽造防止媒体（１）は、第１の要素（３ａ）、第２の要素（７ａ）及び第３の要素（９ａ）を配置する密度を高くすることによって、（反射画像（３）及び透過画像（７）の解像度を向上させ、）反射光及び透過光によって観察される画像を鮮明な画像にすることができる。そこで、反射光及び透過光によって観察される画像の解像度を向上させるための第１の要素（３ａ）、第２の要素（８ａ）及び第３の要素（９ａ）の配置について説明する。
【００７４】
図１４は、反射光及び透過光によって観察される画像の視認性を向上させるための第１の要素（３ａ）、第２の要素（８ａ）及び第３の要素（９ａ）の配置を示す図である。このとき、図１４に示すように、第１の領域（３Ａ）を、第２の領域（７Ａ）より面積を大きくして形成し、第２の領域（７Ａ）の周囲が複数の第１の領域（３Ａ）によって囲まれるように配置する。このように、第１の要素（３ａ）が形成される第１の領域（３Ａ）と第２の要素（８ａ）と第３の要素（９ａ）が形成される第２の領域（７Ａ）を配置することによって、基材（２）に形成される穿孔の密度を高くすることができるので、反射光又は透過光によって観察される画像の解像度を向上させることができる。
【００７５】
また、図１４に示す第１の領域（３Ａ）に形成される第１の要素（３ａ）を、第１の領域（３Ａ）ごとに大きさを異ならせて形成することによって、複数の階調を有する反射画像（３）を形成することができる。
【００７６】
また、図１５に示すように、第１の領域（３Ａ）が、Ｍ個（Ｍは２以上の整数）の第１ａの領域（３Ａ’）から成る構成とし、第１の領域（３Ａ）に形成する第１の要素（３ａ）の数を、第１の領域（３Ａ）ごとに異ならせることによって、複数の階調を有する反射画像（３）を形成することができる。なお、第１の領域（３Ａ）において、Ｍ個の第１ａの領域（３Ａ’）の大きさは、すべてを同じ大きさとしてもよいし、それぞれ異なる大きさで形成してもよい。同様に図１５に示すように、第２の領域（７Ａ）が、Ｎ個（Ｎは２以上の整数）の第２ａの領域（７Ａ’）から成る構成とし、第２の領域（７Ａ）に形成する第２の要素（８ａ）と第３の要素（９ａ）の数を、第２の領域（７Ａ）ごとに異ならせることによって、複数の階調を有する透過画像（７）を形成することができる。なお、第２の領域（７Ａ）においても、Ｎ個の第２ａの領域（７Ａ’）の大きさは、すべてを同じ大きさとしてもよいし、異なる大きさで形成してもよい。
【００７７】
このようにして形成した反射画像（３）と透過画像（７）の例について、次に説明する。はじめに、Ｍ個の第１ａの領域（３Ａ’）のすべてが同じ大きさであり、Ｎ個の第２ａの領域（７Ａ’）のすべてが同じ大きさで配置される例について説明する。
【００７８】
図１５は、第１の領域（３Ａ）が、４個の第１ａの領域（３Ａ’）から成り、第１の領域（３Ａ）ごとに第１の要素（３ａ）を形成する数を異ならせることによって反射画像（３）を複数の階調を有する画像で形成した例を示している。また、４個の第１ａの領域（３Ａ’）は、すべて同じ大きさで形成された例を示している。また、図１５は、第２の領域（７Ａ）が、４個の第２ａの領域（７Ａ’）から成り、第２の領域（７Ａ）ごとに第２の要素（８ａ）と第３の要素（９ａ）を形成する数を異ならせることによって透過画像（７）を複数の階調を有する画像で形成した例を示している。また、４個の第２ａの領域（７Ａ’）は、すべて同じ大きさで形成された例を示している。なお、図１５において、第１の領域（３Ａ）が４等分されている状態を示すため、第１の領域（３Ａ）を分割している仮想の線を破線で示し、第２の領域（７Ａ）が４等分されている状態を示すため、第２の領域（７Ａ）を分割している仮想の線を点線で示している。このとき、一つの第２の領域（７Ａ）内に形成される第２の要素（７ａ）と第３の要素（９ａ）の数の和は、すべての第２の領域（７Ａ）において、同じ値にする必要がある。これは、第２の領域（７Ａ）ごとに形成される第２の要素（８ａ）と第３の要素（９ａ）の和が異なると、第２の領域（７Ａ）ごとに濃度差が生じ、反射光によって観察するときに、規則的に配置された第２の領域（７Ａ）が所定の濃度を有するベタ画像のように観察されないからである。
【００７９】
図１５に示す第１の領域（３Ａ）において、第１ａの領域（３Ａ’）のすべての箇所に第１の要素（３ａ）が形成される場合、濃い色彩で観察され、第１の領域（３Ａ）に第１の要素（３ａ）が一つだけ形成される場合、薄い色彩で観察される。また、第２の領域（７Ａ）において、第２ａの領域（７Ａ’）のすべての箇所に第２の要素（８ａ）が形成される場合、透過光によって観察したときに明るく観察され、第２の領域（７Ａ）に第２の要素（８ａ）が一つだけ形成される場合、暗い色彩で観察される。このように、第１の領域（３Ａ）が、同じ大きさのＭ個の第１ａの要素（３Ａ’）から成り、また、第２の領域（７Ａ）が、同じ大きさのＮ個の第２ａの要素（７Ａ’）から成る場合において、第１の領域（３Ａ）に形成される第１の要素（３ａ）及び第２の領域（７Ａ）に形成される第２の要素（８ａ）と第３の要素（９ａ）の数を部分的に異ならせて形成することによって、複数の階調を有する反射画像（３）と複数の階調を有する透過画像（７）を形成することができる。
【００８０】
続いて、第１の領域（３Ａ）を構成するＭ個の第１ａの領域（３Ａ’）が異なる大きさであり、第２の領域（７Ａ）を構成するＮ個の第２ａの領域（７Ａ’）が異なる大きさで配置される例について説明する。
【００８１】
図１６は、第１の領域（３Ａ）が、５個の第１ａの領域（３Ａ’）から成り、第１ａの領域（３Ａ’）が異なる大きさで形成された例を示している。この場合、所定の位置の反射画像（３）の濃度に応じて、５個の第１ａの領域（３Ａ’）の中から、必要な位置に第１の要素（３ａ）を形成すればよい。このように、第１ａの領域（３Ａ’）を異なる大きさで形成した場合においても、第１の領域（３Ａ）内に形成する第１の要素（３ａ）の面積率を異ならせることができるので、複数の濃度を有する反射画像（３）を形成することができる。
【００８２】
また、図１６は、第２の領域（７Ａ）が、５個の第２ａの領域（７Ａ’）から成り、第２ａの領域（７Ａ’）が異なる大きさで形成された例を示している。この場合、所定の位置の透過画像（７）の濃度に応じて、５個の第２ａの領域（７Ａ’）の中から、必要な位置に第２の要素（８ａ）を形成すればよい。なお、第２の領域（７Ａ）を所定の一定の濃度で形成するため、第２の要素（８ａ）が形成されない第２ａの領域（７Ａ’）には、第３の要素（９ａ）が形成される。前述したように、第２の要素（８ａ）と第３の要素（９ａ）は略等色で形成されるため、図１６に示す構成で成る規則的に配置された複数の第２の領域（７Ａ）を反射光で観察した場合、一定の濃度のベタ画像として観察される。このように、第２ａの領域（７Ａ’）を異なる大きさで形成した場合においても、第２の領域（７Ａ）内に形成する第２の要素（８ａ）の面積率を異ならせることができるので、複数の濃度を有する透過画像（７）を形成することができる。  
【００８３】
なお、図１５及び図１６に示す構成は、第１ａの領域（３Ａ’）の数である「Ｍ」と第２ａの領域（７Ａ’）の数である「Ｎ」の値が、それぞれ同じ値とした例であるが、第１の領域（３Ａ）を構成する第１ａの領域（３Ａ’）の数である「Ｍ」と第２の領域（７Ａ）を構成する第２ａの領域（７Ａ’）の数である「Ｎ」の値は互いに異なってもよい。また、第１の領域（３Ａ）を構成する第１ａの領域（３Ａ’）の数及び第２の領域（７Ａ）を構成する第２ａの領域（７Ａ’）の数が多いほど、表現可能な階調の範囲が広がるので、形成する反射画像（３）、透過画像（７）において所望とする階調画像が得られるように、第１ａの領域（３Ａ’）の数である「Ｍ」と第２ａの領域（７Ａ’）の数である「Ｎ」を適宜調整すればよい。また、反射画像（３）と透過画像（７）のいずれか一方を図１５及び図１６に示す構成で形成し、残りの一方は、前述した構成で形成してもよい。
【００８４】
以下、前述の発明を実施するための最良の形態にしたがって、具体的に作製した偽造防止媒体の実施例について詳細に説明するが、本発明は、この実施例に限定されるものではない。
【００８５】
（実施例１）      
実施例１の偽造防止媒体（１）について、図１７から図２１を用いて説明をする。実施例１は、反射光下で観察される反射画像（３）及び透過光下で観察される透過画像（７）のそれぞれを単純な二値画像とし、すべての画像を連続発振炭酸ガスレーザー加工機を用いて形成した偽造防止媒体（１）である。
【００８６】
図１７に示す実施例１の偽造防止媒体（１）は、厚さ０．２ｍｍの一般的な上質紙を基材（２）として用い、基材（２）の上に、アルファベットの「Ａ」の文字を白抜きで構成した反射画像（３）と、アルファベットの「Ｂ」の文字で成る透過画像（７）をレーザー加工機によって形成した。
【００８７】
反射画像（３）は、図１８に示すように、画像領域（４）においてアルファベットの「Ａ」の文字を白抜きとするように、第１の要素（３ａ）が形成される第１の領域（３Ａ）を、上下左右に１ｍｍ間隔で均等に複数配置して形成し、アルファベットの「Ａ」の文字を情報画像部（５）として備える構成とした。なお、第１の要素（３ａ）は、直径０．５ｍｍの非貫通孔で形成した。このときのレーザー加工機の加工条件は、レーザーパワー１０Ｗ、スキャンスピード１０００ｍｍ／ｓで、反射画像（３）を形成するための加工データを用いて、レーザーを２回照射して形成した。形成した反射画像（３）を構成する第１の要素（３ａ）は、淡い茶色であり、反射画像（３）を構成する第１の要素（３ａ）と基材（２）の濃度差は、０．３であった。
【００８８】
透過画像（７）は、図１９に示すように、画像領域（４）に、第２の領域（７Ａ）を上下左右に１ｍｍ間隔で均等に複数配置し、アルファベットの「Ｂ」の文字を構成するように、第２の要素（８ａ）を配置して形成した。そして、透過画像（７）をカモフラージュするため、第２の領域（７Ａ）において、第２の要素（８ａ）が形成されない部分に、第３の要素（９ａ）を形成した。第２の要素（８ａ）は、直径０．２ｍｍの貫通孔で形成し、第３の要素（９ａ）は、直径０．２ｍｍの非貫通孔で形成した。このとき、透過画像（７）を構成する貫通孔を形成するための加工データを用い、第１の要素（３ａ）と同じ加工条件でレーザーを３回照射して形成した。また、非貫通孔で成る第３の要素（９ａ）を形成するための加工データを用い、第１の要素（３ａ）と同じ加工条件でレーザーを２回照射して形成した。第２の領域（７Ａ）に形成した第３の要素（９ａ）と第２の要素（８ａ）は、淡い茶色で等色であり、基材（２）との濃度差は、いずれも０．０５であった。
【００８９】
このようにして作製した実施例１の偽造防止媒体（１）を反射光下で観察した場合には、図２０に示す反射画像（３）が視認された。また、透過光で観察した場合には、非貫通孔で形成された第１の要素（３ａ）と第３の要素（９ａ）は、基材（２）の影となって明度が低下し、視認されなかった。それに対して、貫通孔で成る第２の要素（８ａ）が形成された部分は、光が透過して明るく観察され、結果的に、図２１に示す透過画像（７）が観察された。以上のように、反射光で観察した場合と、透過光で観察した場合とで、異なる画像が観察された。
【００９０】
（実施例２）    
実施例２の偽造防止媒体（１）について、図２２から図２６を用いて説明をする。実施例２は、反射光下で観察される反射画像（３）は人の写真を基に形成した階調画像として、印刷によって形成し、透過画像（７）は、貫通孔で成る第２の要素（８ａ）及び非貫通孔で成る第３の要素（９ａ）、ともに連続発振炭酸ガスレーザー加工機を用いて形成した偽造防止媒体（１）である。
【００９１】
図２２に示す実施例２の偽造防止媒体（１）は、厚さ０．２ｍｍの一般的な上質紙を基材（２）として用い、基材（２）の上に、人の写真を基に形成した反射画像（３）と「ＯＫ」の文字で成る透過画像（７）を形成した。
【００９２】
反射画像（３）は、図２３に示すように、女性の顔とした。反射画像は、墨インキ（DIC株式会社製  Dａｉ  cure  セプターDT  プロセス黒N）でUVオフセット印刷方式によって形成した。ただし、墨インキは着色力が強いことから、反射画像（３）の印刷濃度を低く抑えるために最高網点面積率は２０％に制限し、画像全体として０％から２０％の間の階調制限を設けて形成した。形成した反射画像（３）の基材（２）との濃度差は０．３であった。
【００９３】
透過画像（７）は、図２４に示すように、画像領域（４）に、第２の領域（７）を上下左右に０．４ｍｍ間隔で均等に複数配置し、「ＯＫ」の文字を構成するように、第２の要素（８ａ）を配置して形成した。そして、透過画像（７）をカモフラージュするため、第２の領域（７Ａ）において、第２の要素（８ａ）が形成されない部分に、第３の要素（９ａ）を形成した。第２の要素（８ａ）は、直径０．１ｍｍの貫通孔で形成し、第３の要素（９ａ）は、直径０．１ｍｍの非貫通孔で形成した。このときのレーザー加工機の加工条件は、レーザーの平均出力約１０Ｗ、スキャンスピード１０００ｍｍ／ｓとし、透過画像（７）を構成する貫通孔を形成するための加工データを用いて、レーザーを３回照射して形成した。また、非貫通孔で成る第３の要素（９ａ）を形成するための加工データを用いて、レーザーを２回照射して形成した。第２の領域（７Ａ）に形成した第３の要素（９ａ）と第２の要素（８ａ）は、淡い茶色で等色であり、基材（２）との濃度差は、いずれも０．０５であった。
【００９４】
このようにして作製した実施例２の偽造防止媒体（１）を反射光下で観察した場合には、図２５に示す反射画像（３）が視認された。また、透過光で観察した場合には、非貫通孔で形成された第１の要素（３ａ）と第３の要素（９ａ）は、基材（２）の影となって明度が低下し、視認されなかった。それに対して、貫通孔で形成された第２の要素（８ａ）から成る潜像部（８）では、光が透過して明るく観察され、結果的に、図２６に示すように、透過画像（７）が観察された。以上のように、反射光で観察した場合と、透過光で観察した場合とで、異なる画像が観察された。
【００９５】
（実施例３）    
本発明の実施例３について、図２７から図３１を用いて説明をする。実施例３は、反射光下で観察される画像と、透過光下で観察される画像とが、複数の階調を有する階調画像であり、視認性向上のため図１５に示す構成で第１の要素（３ａ）、第２の要素（８ａ）及び第３の要素（９ａ）が配置される偽造防止媒体（１）である。また、実施例３は、反射画像（３）と透過画像（７）を連続パルス炭酸ガスレーザー加工機で形成した例である。
【００９６】
図２７に示す実施例３の偽造防止媒体（１）は、厚さ０．２ｍｍの一般的な上質紙を基材（２）として用い、基材（２）の上に、反射画像（３）と透過画像（７）を形成した。
【００９７】
反射画像（３）は、図２８に示す階調画像で形成した。このとき、図２８の拡大図に示すように第１の領域（３Ａ）を９等分して、９個の第１ａの領域（３Ａ’）を備える構成とし、第１の領域（３Ａ）ごとに、第１の要素（３ａ）を形成する数を異ならせることによって、反射画像（３）を階調画像で形成した。なお、図２８の拡大図では、第１の領域（３Ａ）が９等分されている状態を示すため、第１の領域（３Ａ）を分割している仮想の線を一点鎖線で示している。また、反射画像（３）に第２の要素（８ａ）と第３の要素（９ａ）は含まれないが、第１の要素（３ａ）、第２の要素（８ａ）及び第３の要素（９ａ）の配置の関係を示すために、第２の要素（８ａ）と第３の要素（９ａ）が配置される箇所を破線で示している。このとき、第１の要素（３ａ）は、直径が約０．１ｍｍの円形の非貫通孔で形成した。形成した反射画像（３）と基材（２）との最大の濃度差は０．２であった。
【００９８】
透過画像（７）は、図２９に示す階調画像で形成した。このとき、図２９の拡大図に示すように、第２の領域（７Ａ）を４等分して、４個の第２ａの領域（７Ａ’）を備える構成とし、第２の領域（７Ａ）ごとに、第２の要素（８ａ）を形成する数を異ならせることによって、透過画像（７）を階調画像で形成した。そして、透過画像（７）をカモフラージュするため、第２ａの領域（７Ａ’）において、第２の要素（８ａ）が形成されない部分に第３の要素（９ａ）を形成した。なお、図２９の拡大図では、第２の領域（７Ａ）が４等分されている状態を示すため、第２の領域（７Ａ）を分割している仮想の線を一点鎖線で示している。また、透過画像（７）に第１の要素（３ａ）は含まれないが、第１の要素（３ａ）、第２の要素（８ａ）及び第３の要素（９ａ）の配置の関係を示すために、第１の要素（３ａ）が配置される箇所を破線で示している。このとき、第２の要素（８ａ）は、直径が約０．１ｍｍの円形の貫通孔で形成し、第３の要素（９ａ）は、直径が約０．１ｍｍの円形の非貫通孔で形成した。また、一つの第２の領域（７Ａ）内に形成される第２の要素（８ａ）と第３の要素（９ａ）の数の和は、すべての第２の領域において、同じ数で形成した。
【００９９】
貫通孔の加工条件は、パルス長８０μ秒、総エネルギー２ｍＪのレーザーパルスを１回照射し、非貫通孔の加工条件はパルス長４０μ秒、総エネルギー１ｍＪのレーザーパルスを１回照射した。形成された穿孔の色は貫通孔及び非貫通孔とも淡い茶色となり、基材（２）との濃度差は０．０５であった。
【０１００】
このようにして作製した実施例３の偽造防止媒体（１）を反射光下で観察した場合には、図３０に示す反射画像（３）が視認された。また、透過光で観察した場合には、非貫通孔で形成された第１の要素（３ａ）と第３の要素（９ａ）は、基材（２）の影となって明度が低下し、視認されなかった。それに対して、貫通孔で形成された第２の要素（８ａ）が形成された部分は、光が透過して明るく観察され、結果的に、図３１に示すように、透過画像（７）が観察された。以上のように、反射光で観察した場合と、透過光で観察した場合とで、異なる画像が観察された。
【符号の説明】
【０１０１】
１    偽造防止媒体
２    基材
３    反射画像
３Ａ  第１の領域
３Ａ’第１ａの領域
３ａ  第１の要素
４    画像領域
５    情報画像部
７    透過画像
７Ａ  第２の領域
７Ａ’第２ａの領域
８ａ  第２の要素
９ａ  第３の要素
【図１】
2011104937.tif 000003
【図２】
2011104937.tif 000004
【図３】
2011104937.tif 000005
【図４】
2011104937.tif 000006
【図５】
2011104937.tif 000007
【図６】
2011104937.tif 000008
【図７】
2011104937.tif 000009
【図８】
2011104937.tif 000010
【図９】
2011104937.tif 000011
【図１０】
2011104937.tif 000012
【図１１】
2011104937.tif 000013
【図１２】
2011104937.tif 000014
【図１３】
2011104937.tif 000015
【図１４】
2011104937.tif 000016
【図１５】
2011104937.tif 000017
【図１６】
2011104937.tif 000018
【図１７】
2011104937.tif 000019
【図１８】
2011104937.tif 000020
【図１９】
2011104937.tif 000021
【図２０】
2011104937.tif 000022
【図２１】
2011104937.tif 000023
【図２２】
2011104937.tif 000024
【図２３】
2011104937.tif 000025
【図２４】
2011104937.tif 000026
【図２５】
2011104937.tif 000027
【図２６】
2011104937.tif 000028
【図２７】
2011104937.tif 000029
【図２８】
2011104937.tif 000030
【図２９】
2011104937.tif 000031
【図３０】
2011104937.tif 000032
【図３１】
2011104937.tif 000033